(57)【特許請求の範囲】
【請求項１】
固定体に対してＸ軸方向及び前記Ｘ軸方向に対して交差するＹ軸方向に移動可能な粗動ステージと、前記粗動ステージの上に配置され、微動ステージ駆動手段の駆動により前記粗動ステージに対して前記Ｘ軸方向及び前記Ｙ軸方向に移動可能な微動ステージと、を備えたステージ装置において、
前記粗動ステージに配置され、前記Ｘ軸方向にレーザ光を出射する、前記粗動ステージのＸ軸方向の変位測定用のレーザ測長器と、
前記粗動ステージに配置され、前記Ｙ軸方向にレーザ光を出射する、前記粗動ステージのＹ軸方向の変位測定用のレーザ測長器と、
前記微動ステージに配置され、前記Ｘ軸方向にレーザ光を出射する、前記微動ステージのＸ軸方向の変位測定用のレーザ測長器と、
前記微動ステージに配置され、前記Ｙ軸方向にレーザ光を出射する、前記微動ステージのＹ軸方向の変位測定用のレーザ測長器と、
前記粗動ステージのＸ軸方向の変位測定用のレーザ測長器、及び前記微動ステージのＸ軸方向の変位測定用のレーザ測長器に対向して前記固定体に配置された第１反射ミラーと、
前記粗動ステージのＹ軸方向の変位測定用のレーザ測長器、及び前記微動ステージのＹ軸方向の変位測定用のレーザ測長器に対向して前記固定体に配置された第２反射ミラーと、
前記粗動ステージのＸ軸方向の変位測定用のレーザ測長器により測定された前記第１反射ミラーとの距離をＸ１、前記微動ステージのＸ軸方向の変位測定用のレーザ測長器により測定された前記第１反射ミラーとの距離をＸ２、前記粗動ステージのＹ軸方向の変位測定用のレーザ測長器により測定された前記第２反射ミラーとの距離をＹ１、前記微動ステージのＹ軸方向の変位測定用のレーザ測長器により測定された前記第２反射ミラーとの距離をＹ２としたとき、距離Ｘ１と距離Ｘ２との第１差分値、及び距離Ｙ１と距離Ｙ２との第２差分値がそれぞれ一定値となる位置に前記微動ステージが移動するよう前記微動ステージ駆動手段を制御して、前記粗動ステージに対する前記微動ステージの位置決めをする制御手段と、を備えたことを特徴とするステージ装置。
【請求項２】
前記粗動ステージと前記微動ステージとの間には、前記微動ステージの上に配置した移動対象物に接続されるケーブルが引き回されており、
前記制御手段は、前記微動ステージに作用する前記ケーブルの撓み変形による弾性力に抗して、前記第１及び第２差分値がそれぞれ一定値となる位置に前記微動ステージが移動するよう前記微動ステージ駆動手段を制御することを特徴とする請求項１に記載のステージ装置。
【請求項３】
前記微動ステージ駆動手段は、固定子と、前記固定子に対して非接触に配置される可動子とからなるリニアモータであることを特徴とする請求項１又は２に記載のステージ装置。
【請求項４】
前記粗動ステージは、前記固定体に対して前記Ｙ軸方向に移動可能な粗動Ｙステージと、前記粗動Ｙステージに対して前記Ｘ軸方向に移動可能な粗動Ｘステージと、を備え、
前記粗動ステージのＸ軸方向の変位測定用のレーザ測長器、及び前記粗動ステージのＹ軸方向の変位測定用のレーザ測長器が、前記粗動Ｘステージに配置されていることを特徴とする請求項１乃至３のいずれか１項に記載のステージ装置。
【請求項５】
光源と、
前記光源からの光の一部を参照光として反射し、透過光を被検光として被検レンズに照射するレンズと、
前記レンズを移動させる第１ステージと、
前記被検レンズを透過した前記被検光を再び同一光路で前記被検レンズに向けて反射する反射光学系と、
前記反射光学系を移動させる第２ステージと、
前記反射光学系により反射して前記被検レンズ及び前記レンズを透過した前記被検光と前記レンズで反射した前記参照光との重ね合せにより得られる干渉縞を検出する光検出器と、を備え、
前記第１ステージ及び前記第２ステージが、それぞれ請求項１乃至４のいずれか１項に記載のステージ装置で構成されていることを特徴とする波面収差測定装置。
【発明の詳細な説明】
【技術分野】
【０００１】
本発明は、粗動ステージ上に微動ステージが配置されたステージ装置及びステージ装置を備えた波面収差測定装置に関するものである。
【背景技術】
【０００２】
従来、半導体の投影露光装置や波面収差計測装置に搭載され、粗動ステージ上に微動ステージが配置されるステージ装置が提案されている（特許文献１参照）。この種のステージ装置では、高い精度で位置決めを行う際にレーザ測長器を用いるのが一般的である。レーザ測長器は、干渉縞により１波長（６３２ｎｍ）以下の計測することが可能で、長いストロークでの再現性、線形性に優れている。したがって、レーザ測長器を用いることで、粗動ステージ及び微動ステージをナノオーダーで位置決めすることが可能である。この種のステージ装置では、ステージの側面にミラーを配置し、ステージ外にレーザ測長器を配置するのが一般的である。
【０００３】
図４は、粗動ステージの上に微動ステージを配置した構成のステージ装置の概略的な図である。このステージ装置は、粗動Ｙステージ１０上に粗動Ｘステージ１１を配置し、さらにその上に微動ステージ１２を配置して構成される。粗動Ｙステージ１０はＹ軸案内レール１３上をＹ軸モータによりＹ軸方向に精度良く駆動される。また粗動Ｘステージ１１はＸ軸案内レール１４上をＸ軸モータによりＸ軸方向に精度良く駆動される。微動ステージ１２は、可動子と固定子とが非接触に構成されたリニアモータ１５によって、粗動Ｘステージ１１に対して非接触に浮上する。すなわち、微動ステージ１２は、粗動Ｘステージ１１に対して非接触となることにより、粗動Ｘステージ１１から流入する熱の外乱や、振動の外乱を絶縁する。よって微動ステージ１２上に搭載される投影露光装置の被加工物（ウェハ）２０もしくは波面収差計測装置の計測センサへの外乱の影響を小さくして精度よく位置決めすることが可能である。
【０００４】
粗動Ｘステージ１１の一側面には、反射ミラー１６が固定され、微動ステージ１２の一側面には、反射ミラー１７が固定されている。粗動Ｙステージ１０の一側面と直交する他側面には、反射ミラー１８が固定され、微動ステージ１２の一側面と直交する他側面には、反射ミラー１９が固定されている。反射ミラー１６，１７，１８，１９には、レーザ測長器２１，２２，２３，２４が対向して配置される。レーザ測長器２１，２２，２３，２４は、ステージ外部の固定体に固定されている。
【０００５】
レーザ測長器２１から出射されたレーザ光ＬＣｘは、反射ミラー１６によって反射され、レーザ測長器２１に戻り、参照光との干渉縞によって粗動Ｘステージ１１のＸ軸方向の位置を計測する。レーザ測長器２２から出射されたレーザ光ＬＦｘは、反射ミラー１７によって反射され、レーザ測長器２２に戻り、参照光との干渉縞によって微動ステージ１２のＸ軸方向の位置を計測する。レーザ測長器２３から出射されたレーザ光ＬＣｙは、反射ミラー１８によって反射され、レーザ測長器２３に戻り、参照光との干渉縞によって粗動Ｙステージ１０のＹ軸方向の位置を計測する。レーザ測長器２４から出射されたレーザ光ＬＦｙは、反射ミラー１９によって反射され、レーザ測長器２４に戻り、参照光との干渉縞によって微動ステージ１２のＹ軸方向の位置を計測する。
【０００６】
不図示の制御装置は、レーザ測長器２１，２２，２３，２４の干渉縞から得られた位置情報に基づきステージ駆動力を計算し、粗動Ｙステージ１０，粗動Ｘステージ１１及び微動ステージ１２を任意の位置へ高精度に位置決めすることが可能となる。
【０００７】
そして、例えば波面収差計測装置では、被検レンズに対向するようにセンサを微動ステージ上に搭載し、センサを一方向（例えば、Ｙ軸方向）に移動させて被検レンズの各像高位置にセンサの位置を一致させる制御を行う。このとき、粗動Ｙステージ１０のＹ軸方向への移動にさせる際に、粗動Ｘステージ１１に対する微動ステージ１２を一定とする制御を行う。
【先行技術文献】
【特許文献】
【０００８】
【特許文献１】特開２００３−３４３５５９号公報
【発明の概要】
【発明が解決しようとする課題】
【０００９】
しかしながら、従来のステージ装置では、反射ミラー１６〜１９は、ステージ１０，１１，１２に固定されるが、取り付け誤差により反射ミラー１６〜１９が傾いて固定されることがある。そのため、粗動Ｘステージ１１と微動ステージ１２とが、粗動Ｙステージ１０のＹ軸方向への移動によって共に移動したとき、粗動Ｘステージ１１と微動ステージ１２との間に、見かけ上の相対的な変位が発生することがある。また、粗動ＸステージがＸ軸方向へ移動したときにも、粗動Ｙステージ１０と微動ステージ１２との間に、見かけ上の相対的な変位が発生することがある。
【００１０】
以下、図５を参照しながら具体的に説明すると、図５（ａ）に示すように、粗動Ｘステージ１１の一側面には、反射ミラー１６が左ミラーマウント２７と右ミラーマウント２８で固定される。このとき、反射ミラー１６は、左右のミラーマウント２７，２８の加工精度や人的作業による取り付け誤差により、実際には粗動Ｘステージ１１の移動方向に対して傾いて固定されることがある。この傾き角度をθ１とする。また、微動ステージ１２の一側面には、反射ミラー１７が左ミラーマウント３０と右ミラーマウント３１で固定されている。このとき、反射ミラー１７は、左右のミラーマウント３０，３１の加工精度や人的作業による取り付け誤差により、実際には粗動Ｘステージ１１の移動方向に対して傾いて固定されることがある。この傾き角度をθ２とする。また、レーザ測長器２１により測定される反射ミラー１６からレーザ測長器２１までの距離をＸ１、レーザ測長器２２により測定される反射ミラー１７からレーザ測長器２２までの距離をＸ２とする。そして、粗動Ｙステージ１０がＹ軸方向に移動する前の距離Ｘ１をｘ１、距離Ｘ２をｘ２とする。
【００１１】
図５（ｂ）は、粗動Ｙステージ１０がＹ軸の正方向に距離ｌだけ駆動した状態を示している。粗動Ｘステージ１１がｌだけＹ軸の正方向に移動した時にレーザ測長器２１により測定される距離Ｘ１をｘ１’、レーザ測長器２２により測定される距離Ｘ２をｘ２’とする。ここで、移動前のレーザ光ＬＣｘの距離ｘ１と、粗動Ｘステージ１１がｌだけＹ軸の正方向に移動した時のレーザ光ＬＣｘの距離ｘ１’との差分値は、｜ｘ１’−ｘ１｜＝ｌ×ｔａｎθ１である。したがって、レーザ測長器２１は、Ｘ軸の負方向に粗動Ｘステージ１１がｌ×ｔａｎθ１動いたように測定してしまう。また微動ステージ１２についても同様に、レーザ測長器２２は、｜ｘ２’−ｘ２｜＝ｌ×ｔａｎθ２だけＸ軸の正方向に粗動Ｘステージ１１が動いたように測定してしまう。つまり、微動ステージ１２は、粗動Ｘステージ１１に対して粗動Ｙステージ１０の移動方向と直交方向に見かけ上の変位ｌ×ｔａｎθ１＋ｌ×ｔａｎθ２だけ移動したように測定されてしまう。このとき、制御装置は、粗動Ｘステージ１１に対する微動ステージ１２の相対距離｜Ｘ１−Ｘ２｜を一定とする制御を行うが、微動ステージ１２は、この制御によりｌ×ｔａｎθ１＋ｌ×ｔａｎθ２だけ粗動Ｘステージ１１に対してＸ軸方向に移動してしまう。
【００１２】
そこで、本発明は、反射ミラーの取り付け誤差が生じても、粗動ステージに対する微動ステージの位置決めを精確に行うことができるステージ装置及び波面収差測定装置を提供することを目的とするものである。
【課題を解決するための手段】
【００１３】
本発明は、固定体に対してＸ軸方向及び前記Ｘ軸方向に対して交差するＹ軸方向に移動可能な粗動ステージと、前記粗動ステージの上に配置され、微動ステージ駆動手段の駆動により前記粗動ステージに対して前記Ｘ軸方向及び前記Ｙ軸方向に移動可能な微動ステージと、を備えたステージ装置において、前記粗動ステージに配置され、前記Ｘ軸方向にレーザ光を出射する、前記粗動ステージのＸ軸方向の変位測定用のレーザ測長器と、前記粗動ステージに配置され、前記Ｙ軸方向にレーザ光を出射する、前記粗動ステージのＹ軸方向の変位測定用のレーザ測長器と、前記微動ステージに配置され、前記Ｘ軸方向にレーザ光を出射する、前記微動ステージのＸ軸方向の変位測定用のレーザ測長器と、前記微動ステージに配置され、前記Ｙ軸方向にレーザ光を出射する、前記微動ステージのＹ軸方向の変位測定用のレーザ測長器と、前記粗動ステージのＸ軸方向の変位測定用のレーザ測長器、及び前記微動ステージのＸ軸方向の変位測定用のレーザ測長器に対向して前記固定体に配置された第１反射ミラーと、前記粗動ステージのＹ軸方向の変位測定用のレーザ測長器、及び前記微動ステージのＹ軸方向の変位測定用のレーザ測長器に対向して前記固定体に配置された第２反射ミラーと、前記粗動ステージのＸ軸方向の変位測定用のレーザ測長器により測定された前記第１反射ミラーとの距離をＸ１、前記微動ステージのＸ軸方向の変位測定用のレーザ測長器により測定された前記第１反射ミラーとの距離をＸ２、前記粗動ステージのＹ軸方向の変位測定用のレーザ測長器により測定された前記第２反射ミラーとの距離をＹ１、前記微動ステージのＹ軸方向の変位測定用のレーザ測長器により測定された前記第２反射ミラーとの距離をＹ２としたとき、距離Ｘ１と距離Ｘ２との第１差分値、及び距離Ｙ１と距離Ｙ２との第２差分値がそれぞれ一定値となる位置に前記微動ステージが移動するよう前記微動ステージ駆動手段を制御して、前記粗動ステージに対する前記微動ステージの位置決めをする制御手段と、を備えたことを特徴とする。
【発明の効果】
【００１４】
本発明によれば、各レーザ測長器により測定された距離に反射ミラーの取り付け誤差分が含まれているとしても、各レーザ測長器により測定された距離の差分値では、誤差分が打ち消し合う。したがって、粗動ステージに対する微動ステージの位置を一定に制御する際に、反射ミラーの取り付け誤差の影響を低減することができ、粗動ステージに対する微動ステージの位置決めを精確に行うことができる。
【図面の簡単な説明】
【００１５】
【図１】本発明の実施の形態に係るステージ装置を示す斜視図である。
【図２】ステージ装置の側面図であり、（ａ）は、図１中矢印Ａ方向から見たステージ装置を示す図、（ｂ）は、図１中矢印Ｂ方向から見たステージ装置を示す図である。
【図３】ステージ装置を備えた波面収差測定装置の説明図である。
【図４】従来のステージ装置を示す斜視図である。
【図５】従来のステージ装置の動作の説明図であり、（ａ）は、粗動Ｙステージを移動させる前の状態を示す図、（ｂ）は、粗動Ｙステージを移動させた後の状態を示す図である。
【発明を実施するための形態】
【００１６】
以下、本発明を実施するための形態を、図面を参照しながら詳細に説明する。図１に示すように、ステージ装置１００は、固定体である固定ベース１３０上に配置された粗動Ｙステージ１１０と、粗動Ｙステージ１１０上に配置された粗動ステージとしての粗動Ｘステージ１１１と、を備えている。これら粗動Ｘステージ１１１及び粗動Ｙステージ１１０により粗動ＸＹステージが構成されている。また、ステージ装置１００は、粗動Ｘステージ１１１上に配置された微動ステージ１１２を備えている。この微動ステージ１１２上には、移動対象物が設置される。ステージ装置１００は、装置全体を制御する制御手段としての制御装置１５０を備えている。固定ベース１３０上には、Ｙ軸方向に延びるＹ軸案内レール１１３が固定され、粗動Ｙステージ１１０は、Ｙ軸案内レール１１３に沿ってＹ軸方向に移動する。粗動Ｙステージ１１０上には、Ｙ軸方向と直交するＸ軸方向に延びるＸ軸案内レール１１４が固定され、粗動Ｘステージ１１１は、Ｘ軸案内レール１１４に沿ってＸ軸方向に移動する。
【００１７】
粗動Ｙステージ１１０は、粗動ステージ駆動手段であるＹ軸モータ１３３により駆動され、固定ベース１３０に対してＹ軸方向に移動可能となる。また、粗動Ｘステージ１１１は、粗動ステージ駆動手段であるＸ軸モータ１３５により駆動され、粗動Ｙステージ１１０に対してＸ軸方向に移動可能である。つまり、粗動Ｘステージ１１１は、粗動Ｙステージ１１０上に配置されているので、固定ベース１３０に対して、Ｘ軸モータ１３５の駆動によりＸ軸方向に、Ｙ軸モータ１３３の駆動によりＹ軸方向に移動可能である。
【００１８】
微動ステージ１１２は、微動ステージ駆動手段としてのリニアモータ１１５によりＸ軸方向及びＹ軸方向を含む６軸（６自由度）方向に駆動される。したがって、微動ステージ１１２は、リニアモータ１１５の駆動により粗動Ｙステージ１１０に対して少なくともＸ軸方向及びＹ軸方向に移動可能である。つまり、微動ステージ１１２は、粗動Ｘステージ１１１の移動方向であるＹ軸方向に対して直交するＸ軸方向に移動可能であり、また、粗動Ｘステージ１１１の移動方向であるＸ軸方向に対して直交するＹ軸方向に移動可能である。このリニアモータ１１５は、粗動Ｘステージ１１１の上面に固定された固定子１１５ａと、微動ステージ１１２の下面に固定された可動子１１５ｂとからなり、固定子１１５ａと可動子１１５ｂとが非接触に構成されている。つまり、微動ステージ１１２は、リニアモータ１１５の固定子１１５ａに対して推力を出す可動子１１５ｂによって支持、駆動される。固定子１１５ａと可動子１１５ｂとの隙間は数ミリであり、微動ステージ１１２はこの隙間の分だけ移動可能である。微動ステージ１１２は、リニアモータ１１５により粗動Ｘステージ１１１に対して非接触となるので、粗動Ｘステージ１１１から流入する熱の外乱や振動の外乱から絶縁される。
【００１９】
制御装置１５０には、Ｘ軸モータ１３５，Ｙ軸モータ１３３，リニアモータ１１５を駆動する駆動装置１５１が接続されている。したがって、制御装置１５０は、駆動装置１５１を介してＸ軸モータ１３５，Ｙ軸モータ１３３，リニアモータ１１５の動作を制御し、各モータの駆動により粗動Ｘステージ１１１，粗動Ｙステージ１１０，微動ステージ１１２を移動させる。
【００２０】
微動ステージ１１２上には、移動対象物として保持プレート１２０を介してセンサ１２８が設けられている。このセンサ１２８は、例えば不図示の被検レンズの収差測定用のセンサである。このセンサ１２８には、粗動Ｘステージ１１１に固定されたケーブル１２７が接続され、センサ１２８による検知信号がケーブル１２７を介して制御装置１５０に出力される。この微動ステージ上に配置したセンサ１２８に接続されるケーブル１２７は、撓み変形が可能であり、略Ｕ字形状に屈曲した状態に折り曲げられて、粗動Ｘステージ１１１と微動ステージ１１２との間に引き回されている。
【００２１】
本実施の形態では、ステージ装置１００は、粗動Ｘステージ１１１のＸ軸方向の変位測定用の第１レーザ測長器１２１と、微動ステージ１１２のＸ軸方向の変位測定用の第２レーザ測長器１２２と、を備えている。更に、ステージ装置１００は、第１レーザ測長器１２１及び第２レーザ測長器１２２に共通の反射手段である反射ミラー１１６を備えている。第１レーザ測長器１２１は、粗動Ｘステージ１１１上のＸ軸方向の端部に固定して配置されており、第２レーザ測長器１２２は、微動ステージ１１２上のＸ軸方向の端部に固定して配置されている。また、反射ミラー１１６は、第１レーザ測長器１２１及び第２レーザ測長器１２２に対向するように固定体としての固定部材１４１（図２（ａ）参照）に固定して配置されている。
【００２２】
また、ステージ装置１００は、粗動Ｘステージ１１１のＹ軸方向の変位測定用の第１レーザ測長器１２３と、微動ステージ１１２のＹ軸方向の変位測定用の第２レーザ測長器１２４と、を備えている。更に、ステージ装置１００は、第１レーザ測長器１２３及び第２レーザ測長器１２４に共通の反射手段である反射ミラー１１８を備えている。第１レーザ測長器１２３は、粗動Ｘステージ１１１上のＹ軸方向の端部に固定して配置されており、第２レーザ測長器１２４は、微動ステージ１１２上のＹ軸方向の端部に固定して配置されている。また、反射ミラー１１８は、第１レーザ測長器１２３及び第２レーザ測長器１２４に対向するように固定体としての固定部材１４２（図２（ｂ）参照）に固定して配置されている。
【００２３】
以上の構成により、第１レーザ測長器１２１から出射されたレーザ光ＭＣｘは、反射ミラー１１６によって反射され、第１レーザ測長器１２１に戻り、参照光との干渉縞によって反射ミラー１１６を基準とする粗動Ｘステージ１１１のＸ軸方向の位置を計測する。第２レーザ測長器１２２から出射されたレーザ光ＭＦｘは、反射ミラー１１６によって反射され、第２レーザ測長器１２２に戻り、参照光との干渉縞によって反射ミラー１１６を基準とする微動ステージ１１２のＸ軸方向の位置を計測する。つまり、レーザ光ＭＣｘとレーザ光ＭＦｘとは、反射ミラー１１６の同一表面上で反射する。
【００２４】
また、第１レーザ測長器１２３から出射されたレーザ光ＭＣｙは、反射ミラー１１８によって反射され、第１レーザ測長器１２３に戻り、参照光との干渉縞によって反射ミラー１１８を基準とする粗動Ｘステージ１１１のＹ軸方向の位置を計測する。第２レーザ測長器１２４から出射されたレーザ光ＭＦｙは、反射ミラー１１８によって反射され、第２レーザ測長器１２４に戻り、参照光との干渉縞によって反射ミラー１１８を基準とする微動ステージ１１２のＹ軸方向の位置を計測する。つまり、レーザ光ＭＣｙとレーザ光ＭＦｙとは、反射ミラー１１８の同一表面上で反射する。
【００２５】
ところで、本実施の形態では、粗動Ｘステージ１１１が一方向へ移動するときに、微動ステージ１１２は、粗動Ｘステージ１１１の移動に伴って粗動Ｘステージ１１１と共に同一方向へ移動する。つまり、Ｙ軸モータ１３３の駆動により粗動Ｙステージ１１０をＹ軸方向へ移動させた場合には、粗動Ｘステージ１１１は粗動Ｙステージ１１０と共にＹ軸方向に移動するが、微動ステージ１１２は粗動Ｘステージ１１１の移動に伴ってＹ軸方向に移動する。同様に、Ｘ軸モータ１３５の駆動により粗動Ｘステージ１１１をＸ軸方向へ移動させた場合には、微動ステージ１１２は、この粗動Ｘステージ１１１の移動に伴って、Ｘ軸方向に移動する。
【００２６】
ここで、粗動Ｙステージ１１０は、Ｙ軸案内レール１１３で固定ベース１３０に対するＸ軸方向の移動が規制されているので、Ｙ軸方向に精確に移動する。また、粗動Ｘステージ１１１は、Ｘ軸案内レール１１４で粗動Ｙステージ１１０に対するＹ軸方向の移動が規制されているので、Ｘ軸方向に精確に移動する。
【００２７】
これに対し、本実施の形態では、微動ステージ１１２は、粗動Ｘステージ１１１上を少なくともＸ軸方向及びＹ軸方向に移動可能にリニアモータ１１５によって浮上状態で支持されており、外力によって移動しやすい。特に、本実施の形態では、粗動Ｘステージ１１１と微動ステージ１１２との間には、撓み変形したケーブル１２７が引き回されているので、微動ステージ１１２には、ケーブル１２７の撓み変形による弾性力が作用している。
【００２８】
したがって、本実施の形態では、制御装置１５０は、粗動Ｘステージ１１１に対する微動ステージ１１２の位置を一定とする制御を行う。以下、具体的に説明すると、制御装置１５０は、移動対象物であるセンサ１２８をＹ軸方向へ移動させる際には、Ｙ軸モータ１３３の駆動により粗動Ｙステージ１１０を移動させて粗動Ｘステージ１１１をＹ軸方向に移動させる制御を行う。Ｘ軸モータ１３５による駆動は停止している。このとき、制御装置１５０は、図２（ａ）に示す第１レーザ測長器１２１により測定される反射ミラー１１６からの第１距離Ｘ１と、第２レーザ測長器１２２により測定される反射ミラー１１６からの第２距離Ｘ２との差分値｜Ｘ１−Ｘ２｜を演算する。この差分値｜Ｘ１−Ｘ２｜は、粗動Ｘステージ１１１に対する微動ステージ１１２のＸ軸方向の相対距離である。そして、制御装置１５０は、粗動Ｘステージ１１１に対する微動ステージ１１２のＸ軸方向の位置が一定となるように、差分値｜Ｘ１−Ｘ２｜が一定値となる位置に微動ステージ１１２が移動するようリニアモータ１１５を制御する。また、制御装置１５０は、図２（ｂ）に示す第１レーザ測長器１２３により測定される反射ミラー１１８からの第１距離Ｙ１と、第２レーザ測長器１２４により測定される反射ミラー１１８からの第２距離Ｙ２との差分値｜Ｙ１−Ｙ２｜を演算する。この差分値｜Ｙ１−Ｙ２｜は、粗動Ｘステージ１１１に対する微動ステージ１１２のＹ軸方向の相対距離である。そして、制御装置１５０は、粗動Ｘステージ１１１に対する微動ステージ１１２のＹ軸方向の位置が一定となるように、差分値｜Ｙ１−Ｙ２｜が一定値となる位置に微動ステージ１１２が移動するようリニアモータ１１５を制御する。
【００２９】
ここで、反射ミラー１１８が取り付け誤差等により傾いて固定部材１４２に固定されていても、粗動Ｘステージ１１１はＸ軸方向には移動しないので、レーザ光ＭＣｙ，ＭＦｙは、反射ミラー１１８の表面上の同一点で反射することとなる。したがって、第１レーザ測長器１２３及び第２レーザ測長器１２４により測定された第１距離Ｙ１及び第２距離Ｙ２には、反射ミラー１１８の傾斜による取り付け誤差分が加わるのが抑制されている。したがって、演算した差分値｜Ｙ１−Ｙ２｜は、誤差により変動することはないので、微動ステージ１１２のＹ軸方向の位置決めを精確に行うことができる。
【００３０】
これに対し、反射ミラー１１６が取り付け誤差等により傾いて固定部材１４１に固定されていると、粗動Ｘステージ１１１はＹ軸方向に移動しているので、レーザ光ＭＣｘ，ＭＦｘは、反射ミラー１１６の表面上のＹ軸方向の異なる点で反射することとなる。したがって、第１レーザ測長器１２１及び第２レーザ測長器１２２により測定された第１距離Ｘ１及び第２距離Ｘ２には、反射ミラー１１６の傾斜による取り付け誤差分が加わる。ところが、本実施の形態では、レーザ光ＭＣｘ，ＭＦｘは、共通の反射ミラー１１６で反射するので、測定された第１距離Ｘ１及び第２距離Ｘ２には、同一の誤差分が重畳されることとなり、差分値｜Ｘ１−Ｘ２｜を演算すると、誤差分が打ち消し合う。したがって、差分値｜Ｘ１−Ｘ２｜が反射ミラー１１６の取り付け誤差により変動するのを回避することができ、差分値｜Ｘ１−Ｘ２｜を一定値にする制御の際に反射ミラー１１６の誤差の影響を低減することができる。ゆえに、粗動Ｘステージ１１１に対する微動ステージ１１２のＸ軸方向の位置決めを精確に行うことができる。
【００３１】
次に、制御装置１５０は、移動対象物であるセンサ１２８をＸ軸方向へ移動させる際には、Ｘ軸モータ１３５の駆動により粗動Ｘステージ１１１をＸ軸方向に移動させる制御を行う。Ｙ軸モータ１３３による駆動は停止している。このとき、制御装置１５０は、第１レーザ測長器１２１により測定される反射ミラー１１６からの第１距離Ｘ１と、第２レーザ測長器１２２により測定される反射ミラー１１６からの第２距離Ｘ２との差分値｜Ｘ１−Ｘ２｜を演算する。そして、制御装置１５０は、粗動Ｘステージ１１１に対する微動ステージ１１２のＸ軸方向の位置が一定となるように、差分値｜Ｘ１−Ｘ２｜が一定値となる位置に微動ステージ１１２が移動するようリニアモータ１１５を制御する。また、制御装置１５０は、第１レーザ測長器１２３により測定される反射ミラー１１８からの第１距離Ｙ１と、第２レーザ測長器１２４により測定される反射ミラー１１８からの第２距離Ｙ２との差分値｜Ｙ１−Ｙ２｜を演算する。そして、制御装置１５０は、粗動Ｘステージ１１１に対する微動ステージ１１２のＹ軸方向の位置が一定となるように、差分値｜Ｙ１−Ｙ２｜が一定値となる位置に微動ステージ１１２が移動するようリニアモータ１１５を制御する。
【００３２】
ここで、反射ミラー１１６が取り付け誤差等により傾いて固定部材１４１に固定されていても、粗動Ｘステージ１１１はＹ軸方向には移動しないので、レーザ光ＭＣｘ，ＭＦｘは、反射ミラー１１６の表面上の同一点で反射することとなる。したがって、第１レーザ測長器１２１及び第２レーザ測長器１２２により測定された第１距離Ｘ１及び第２距離Ｘ２には、反射ミラー１１６の傾斜による取り付け誤差分が加わるのが抑制されている。したがって、演算した差分値｜Ｘ１−Ｘ２｜は、誤差により変動することはないので、微動ステージ１１２のＸ軸方向の位置決めを精確に行うことができる。
【００３３】
これに対し、反射ミラー１１８が取り付け誤差等により傾いて固定部材１４２に固定されていると、粗動Ｘステージ１１１はＸ軸方向に移動しているので、レーザ光ＭＣｙ，ＭＦｙは、反射ミラー１１８の表面上のＸ軸方向の異なる点で反射することとなる。したがって、第１レーザ測長器１２３及び第２レーザ測長器１２４により測定された第１距離Ｙ１及び第２距離Ｙ２には、反射ミラー１１８の傾斜による取り付け誤差分が加わる。ところが、本実施の形態では、レーザ光ＭＣｙ，ＭＦｙは、共通の反射ミラー１１８で反射するので、測定された第１距離Ｙ１及び第２距離Ｙ２には、同一の誤差分が重畳されることとなり、差分値｜Ｙ１−Ｙ２｜を演算すると、誤差分が打ち消し合う。したがって、差分値｜Ｙ１−Ｙ２｜が反射ミラー１１８の取り付け誤差により変動するのを回避することができ、差分値｜Ｙ１−Ｙ２｜を一定値にする制御の際に反射ミラー１１８の誤差の影響を低減することができる。ゆえに、粗動Ｘステージ１１１に対する微動ステージ１１２のＹ軸方向の位置決めを精確に行うことができる。
【００３４】
次に、制御装置１５０は、移動対象物であるセンサ１２８をＸ軸方向及びＹ軸方向へ移動させる際には、Ｘ軸モータ１３５の駆動により粗動Ｘステージ１１１をＸ軸方向に移動させ、Ｙ軸モータ１３３の駆動により粗動Ｙステージ１１０をＹ軸方向へ移動させる。このとき、制御装置１５０は、差分値｜Ｘ１−Ｘ２｜が一定値となる位置及び差分値｜Ｙ１−Ｙ２｜が一定値となる位置に微動ステージ１１２が移動するようリニアモータ１１５を制御する。この場合、第１距離Ｘ１及び第２距離Ｘ２には、反射ミラー１１６の誤差分、第１距離Ｙ１及び第２距離Ｙ２には、反射ミラー１１８の誤差分が重畳されるが、差分値｜Ｘ１−Ｘ２｜，｜Ｙ１−Ｙ２｜を演算することにより、これら誤差分が打ち消し合う。従って、差分値｜Ｘ１−Ｘ２｜，｜Ｙ１−Ｙ２｜が反射ミラー１１６，１１８の取り付け誤差により変動するのを回避でき、差分値｜Ｘ１−Ｘ２｜，｜Ｙ１−Ｙ２｜を一定値にする制御の際に反射ミラー１１６，１１８の誤差の影響を低減することができる。ゆえに、粗動Ｘステージ１１１に対する微動ステージ１１２のＸ軸方向及びＹ軸方向の位置決めを精確に行うことができる。
【００３５】
ここで、制御装置１５０が差分値を一定値にするようリニアモータ１１５を制御することで、微動ステージ１１２に作用するケーブル１２７の撓み変形による弾性力に抗して、弾性力が作用する方向とは反対方向に微動ステージ１１２に駆動力が作用する。つまり、差分値が変動しないので、ケーブル１２７の弾性力と釣り合うリニアモータ１１５による駆動力（推力）が一定となる。この制御により、ケーブル１２７の形状が一定に保たれ、ケーブル１２７の持つ弾性力が一定となり、リニアモータ１１５の推力を一定として任意のストローク位置でのリニアモータ１１５の発熱量を一定とすることができる。そして、リニアモータ１１５の発熱量が一定となるので、熱変動による微動ステージ１１２の変形を低減することができ、微動ステージ１１２に搭載するセンサ１２８（移動対象物）の位置決め精度を向上させることができる。
【００３６】
次に、上述したステージ装置を波面収差測定装置に搭載した場合について、図３を参照しながら説明する。波面収差測定装置Ｓは、上述したステージ装置に対応するＲＳステージ１００ａと、ＴＳステージ１００ｂとを備えている。このＲＳステージ１００ａは、ＲＳステージ基盤２４１上に配置されたＲＳ粗動Ｙステージ２１０と、ＲＳ粗動Ｙステージ２１０上に配置されたＲＳ粗動Ｘステージ２１１と、ＲＳ粗動Ｘステージ２１１上に配置されたＲＳ微動ステージ２１６とを備えている。また、ＴＳステージ１００ｂは、ＴＳステージ基盤２４０上に配置されたＴＳ粗動Ｙステージ２３２と、ＴＳ粗動Ｙステージ２３２上に配置されたＴＳ粗動Ｘステージ２３３と、ＴＳ粗動Ｘステージ２３３上に配置されたＴＳ微動ステージ２３９とを備えている。
【００３７】
波面収差測定装置Ｓは、露光用投影レンズ等の被検レンズ２２９の軸外の収差、像面湾曲およびディストーション等を測定することを目的としている。この波面収差測定装置Ｓは、被検レンズ２２９の使用波長に近い発振波長を有する可干渉性のよい光源２００（例えば、レーザ光源等）からの光を干渉計ユニット２０１へ導光する。この光源２００からの光は光路の途中で被検光と参照光とに分岐する。まず被検光の光路について説明する。干渉計ユニット２０１の内部においては、集光レンズ２０２により空間フィルター２０３上に光が集められる。ここで、空間フィルター２０３の径はコリメータレンズ２０５のＮＡ（開口数）により定まるエアリーディスク径の１／２程度に設定されている。これにより、空間フィルター２０３からの出射光は理想球面波となり、ハーフミラー２０４を透過後、コリメータレンズ２０５により平行光に変換されて、干渉計ユニット２０１から出射する。
【００３８】
その後、被検光は引き回し光学系２０９により被検レンズ２２９の物体面の上部へと導かれ、ＴＳステージ１００ｂ上へと入射される。そして、被検光はＴＳステージ基盤２４０上に固定配置された不図示のミラーによりＹ軸方向に反射され、さらに、ＴＳ粗動Ｙステージ２３２上に配置された不図示のＹ移動ミラーによりＸ軸方向に反射される。次いで、被検光はＴＳ微動ステージ２３９上に配置されたＸ移動ミラー２３１によりＺ軸方向へと反射される。さらに、ＴＳ微動ステージ２３９上に配置されたＴＳレンズ２３０により被検レンズ２２９の物体面上へと集光され、被検レンズ２２９を透過後に、像面２４２上に再結像される。その後、被検光はＲＳステージ１００ａ上に配置された反射素子（反射光学系）２２８により反射される。被検光は反射素子２２８に反射された後、被検レンズ２２９、ＴＳレンズ２３０、Ｘ移動ミラー、Ｙ移動ミラー、引き回し光学系２０９を略同一光路で逆行し、再び干渉計ユニット２０１へと入射する。被検光は、干渉計ユニット２０１へ入射した後にコリメータレンズ２０５を通り、ハーフミラー２０４で反射され、空間フィルター２０６上に集光される。ここで、空間フィルター２０６は、迷光及び急傾斜波面を遮断するためのものである。空間フィルター２０６を通過した後、結像レンズ２０７によりＣＣＤカメラ（光検出器）２０８上にほぼ平行光束として入射する。
【００３９】
一方、参照光は、光がＸ移動ミラーからＴＳレンズ２３０へ入射し、その一部がＴＳレンズ２３０面で反射されたものである。つまり、ＴＳレンズ２３０の最終面であるフィゾー面からの表面反射光が同一光路で逆行し、参照光としてＣＣＤカメラ２０８上へと入射する。これら、参照光と被検光との重ね合わせにより干渉縞が得られる。
【００４０】
ここで、波面収差測定装置Ｓの任意の像高位置に移動させる際、ディストーション・像面歪曲を補償するため、ＲＳ微動ステージ２１６上に搭載される反射素子２２８（反射光学系）の形状精度、再現性を補償することが必要である。そのために、例えば反射素子２２８に不図示の形状センサもしくは形状を補償するような不図示の機構を取り付けて、反射素子２２８の形状が任意の像高位置において一定であることを確認し、装置性能を保証することが一般的である。この形状センサもしくは形状を補償する機構へ電源を供給するためのケーブル、もしくは形状データを監視する機構と形状の信号をやり取りするためのケーブル２２７がＲＳ微動ステージ２１６とＲＳ粗動Ｘステージ２１１との間に引き回される。ＴＳステージ１００ｂについても同様に、ＴＳ微動ステージ２３９とＴＳ粗動Ｘステージ２３３との間にケーブル２４３が引き回される。
【００４１】
ここで、制御装置１５０は、ホストコンピュータ１５２からの指令に基づき、ＲＳステージ駆動装置１５１ａ及びＴＳステージ駆動装置１５１ｂを介してＲＳステージ１００ａ及びＴＳステージ１００ｂを被検レンズ２２９の任意の像高位置へと移動可能である。像高位置は数ミリ間隔でＸＹ軸方向に何点か存在し、制御装置１５０は、微動ステージ２１６，２３９上に配置した不図示のセンサを各像高位置に移動させる制御を行う。その結果、露光領域内の任意像点における波面収差を連続で測定することが可能となっている。
【００４２】
ＲＳ粗動Ｘステージ２１１上には、Ｘ軸方向の第１レーザ測長器２２１が、ＲＳ微動ステージ２１６上には、Ｘ軸方向の第２レーザ測長器２２３が配置されている。なお、図示は省略するが、Ｙ軸方向にも同様に、各ステージ２１１，２１６にレーザ測長器が配置されている。各レーザ測長器２２１，２２３から出射されたレーザ光ＲＣｘ，ＲＦｘは、共通の反射ミラー２２５にて反射され、各レーザ測長器２２１，２２３に戻る。各レーザ測長器２２１，２２３は、参照光との干渉縞によって反射ミラー２２５を基準とする各ステージ２１１，２１６のＸ軸方向の位置を計測する。Ｙ軸方向についても同様である。
【００４３】
また、ＴＳ粗動Ｘステージ２３３上には、Ｘ軸方向の第１レーザ測長器２３６が、ＴＳ微動ステージ２３９上には、Ｘ軸方向の第２レーザ測長器２３７が配置されている。なお、図示は省略するが、Ｙ軸方向にも同様に、各ステージ２３３，２３９にレーザ測長器が配置されている。各レーザ測長器２３６，２３７から出射されたレーザ光ＴＣｘ，ＴＦｘは、共通の反射ミラー２３８にて反射され、各レーザ測長器２３６，２３７に戻る。各レーザ測長器２３６，２３７は、参照光との干渉縞によって反射ミラー２３８を基準とする各ステージ２３３，２３９のＸ軸方向の位置を計測する。Ｙ軸方向についても同様である。
【００４４】
ＸＹ軸方向に所定間隔で点在する各像高位置へセンサを移動させる際には、センサをＹ軸方向に並ぶ各像高位置へ移動させた後、所定間隔だけセンサをＸ軸方向へ移動させ、再びＹ軸方向に並ぶ各像高位置へ移動させる動作を繰り返す。ＲＳ微動ステージ２１６上のセンサをＹ軸方向に移動させる場合、第１レーザ測長器２２１により測定される第１距離と、第２レーザ測長器２２３により測定される第２距離との差分値が一定値となるように、ＲＳ微動ステージ２１６を駆動する。この差分値を一定値とすることで、ＲＳ微動ステージ２１６に対するＲＳ粗動Ｘステージ２１１の相対距離が一定となり、Ｙ軸方向の任意の像高位置において計測可能となる。ＴＳステージ１００ｂについても同様である。
【００４５】
これによりケーブル２２７，２４３の変位による弾性力をＹ軸方向の任意の像高位置において一定とすることができる。したがって、ＲＳ微動ステージ２１６を駆動するリニアモータ２１９の発熱量はＹ軸方向の任意の像高位置において一定となり、熱の変動は発生しないので、高精度の波面収差計測が可能である。同様に、ＴＳ微動ステージ２３９を駆動するリニアモータ２３５の発熱量はＹ軸方向の任意の像高位置において一定となり、熱の変動は発生しないので、高精度の波面収差計測が可能である。
【００４６】
以上で本発明を適用できる好ましい実施の形態を説明したが、本発明はこれらに限定されるものではなく、その要旨の範囲で様々な変形や変更が可能である。上記実施の形態では、ステージ装置が粗動ＸＹステージを備える場合について説明したが、これに限定するものではなく、粗動ＸＹステージに代えて粗動Ｘステージを備える場合についても本発明は適用可能である。この場合も粗動Ｘステージ上に微動ステージが配置される。
【００４７】
また、上記実施の形態では、ステージ装置を波面収差測定装置に適用した場合について説明したが、これに限定するものではなく、投影露光装置等、あらゆる装置に適用可能である。
【符号の説明】
【００４８】
１００  ステージ装置
１１１  粗動Ｘステージ（粗動ステージ）
１１２  微動ステージ
１１５  リニアモータ（微動ステージ駆動手段）
１１６  反射ミラー（反射手段）
１１８  反射ミラー（反射手段）
１２１  第１レーザ測長器
１２２  第２レーザ測長器
１２３  第１レーザ測長器
１２４  第２レーザ測長器
１３０  固定ベース（固定体）
１４１  固定部材（固定体）
１４２  固定部材（固定体）
１５０  制御装置（制御手段）
【図１】
0005606039.tif 000002
【図２】
0005606039.tif 000003
【図３】
0005606039.tif 000004
【図４】
0005606039.tif 000005
【図５】
0005606039.tif 000006